(57)【要約】【課題】省エネの程度を分かり易く知らせることを課題とする。【解決手段】表示部２の輝度レベルを調整するための輝度調整手段４を備える表示装置（１）において、輝度調整手段４により調整された表示部２の輝度レベルの基準輝度レベルに対する低下量に対応した消費電力の削減度合を表す削減情報９１を表示部２に表示するための削減情報表示手段５を備える。輝度レベルを表す輝度レベル情報９２を表示部２に表示するための輝度レベル表示手段６と、削減情報９１と輝度レベル情報９２を含む情報の中から表示部２に表示する情報を選択するための情報選択手段７とが設けられてもよい。【選択図】図８
2012242462.tif 000002
【特許請求の範囲】
【請求項１】
表示部の輝度レベルを調整するための輝度調整手段を備える表示装置において、
前記輝度調整手段により調整された前記表示部の輝度レベルの基準輝度レベルに対する低下量に対応した消費電力の削減度合を表す削減情報を前記表示部に表示するための削減情報表示手段を備えることを特徴とする表示装置。
【請求項２】
前記輝度レベルを表す輝度レベル情報を前記表示部に表示するための輝度レベル表示手段と、
前記削減情報と前記輝度レベル情報を含む情報の中から前記表示部に表示する情報を選択するための情報選択手段とをさらに備えることを特徴とする請求項１に記載の表示装置。
【請求項３】
前記削減情報表示手段は、前記表示部による表示のための電流量を取得する電流量取得手段を備え、取得した電流量と基準電流量との差に基づいて前記削減情報を生成して前記表示部に表示することを特徴とする請求項１又は請求項２に記載の表示装置。
【請求項４】
前記表示部は、表示画面に光を供給するバックライトを備え、
前記輝度調整手段は、前記バックライトの明るさを変えることにより前記表示画面の輝度レベルを調整する手段とされ、
前記電流量取得手段は、前記バックライトを点灯させるための電流量を取得することを特徴とする請求項３に記載の表示装置。
【請求項５】
映像を表示する表示画面に光を供給するバックライトを有する表示部と、前記バックライトの明るさを変えることにより前記表示画面の輝度レベルを調整する輝度調整手段とを備えるテレビジョンにおいて、
前記輝度調整手段により調整された前記表示画面の輝度レベルの基準輝度レベルに対する低下量に対応した消費電力の削減度合を表す削減情報を映像に重ねて前記表示画面に表示するための削減情報表示手段を備えることを特徴とするテレビジョン。
【発明の詳細な説明】
【技術分野】
【０００１】
本発明は、表示部の輝度レベルを調整するための輝度調整手段を備える表示装置、及び、テレビジョンに関する。
【背景技術】
【０００２】
特許文献１に記載のテレビジョン受信装置は、省エネ（省エネルギー）モードで動作しており、且つバックライトの輝度が設定されている下限値でないとき、チャンネルの切り換えにかかる入力が行われる毎に、バックライトの輝度を第１の量ずつ下げる。また、バックライトの輝度を第１の量だけ下げるときに、液晶パネルに黒ベタの映像を一定時間表示し、視聴しているユーザーに暗い映像を印象づける。
【０００３】
特許文献２に記載の画像表示装置は、テレビジョン映像を表示するモードと、グラフィックユーザインターフェース映像を表示するモードとを切換可能に構成されている。この画像表示装置は、モードの切換指示に連動して、バックライト光源の発光輝度を可変制御する。
【０００４】
特許文献３に記載のテレビジョン受像機は、テレビ放送に係る番組映像を表示するモードと、データ放送に係る番組映像を表示するモードとを切換可能に構成されている。このテレビジョン受像機は、ユーザーによる表示番組映像の放送タイプの切換指示に連動して、バックライト光源の発光輝度を可変制御する。
【０００５】
特許文献４に記載の液晶表示装置は、液晶パネルに表示する映像のジャンルに応じて、光源の発光輝度制御特性を変更する。
【先行技術文献】
【特許文献】
【０００６】
【特許文献１】特開２００６−２３８３９０号公報
【特許文献２】特開２００６−２６２０３１号公報
【特許文献３】特開２０１０−１６６５９３号公報
【特許文献４】特開２００７−０４９６９３号公報
【発明の概要】
【発明が解決しようとする課題】
【０００７】
上述した表示装置を見るユーザーは、表示が暗くなるのは分かっても、どの程度省エネとなるのか分からない。
【０００８】
以上を鑑み、本発明は、省エネ（省エネルギー）の程度を分かり易く知らせる目的を有している。
【課題を解決するための手段】
【０００９】
上記目的を達成するため、本発明は、表示部の輝度レベルを調整するための輝度調整手段を備える表示装置において、
前記輝度調整手段により調整された前記表示部の輝度レベルの基準輝度レベルに対する低下量に対応した消費電力の削減度合を表す削減情報を前記表示部に表示するための削減情報表示手段を備える態様を有する。
【発明の効果】
【００１０】
請求項１に係る発明によれば、省エネの程度を分かり易く知らせることが可能な表示装置を提供することができる。
請求項２に係る発明では、消費電力の削減度合を表す削減情報と、表示部の輝度レベルを表す輝度レベル情報と、を含む情報が選択されて表示されるので、利便性を向上させることができる。
請求項３に係る発明では、簡易な構成で省エネの程度を分かり易く知らせることができる。
請求項４に係る発明では、バックライトを用いた表示装置の省エネの程度を簡易な構成で分かり易く知らせることができる。
請求項５に係る発明では、省エネの程度を分かり易く知らせることが可能なテレビジョンを提供することができる。
【図面の簡単な説明】
【００１１】
【図１】（ａ）は本発明の一実施形態に係るテレビジョン１（表示装置）１の構成を模式的に例示する正面図、（ｂ）はテレビジョン１の構成を模式的に例示する側面図、である。
【図２】テレビジョン１の回路構成を例示するブロック図である。
【図３】テレビジョン１の構成を模式的に例示するブロック図である。
【図４】テレビジョン１で行われるバックライト輝度設定処理を例示するフローチャートである。
【図５】基準輝度レベルと輝度レベルの差と消費電力削減量との対応関係を例示する図である。
【図６】テレビジョン１で行われる削減情報表示処理を例示するフローチャートである。
【図７】（ａ）はＰＷＭ信号を例示する図、（ｂ）は電流値と基準電流値とから消費電力削減量を求める例を説明する図、（ｃ）はデューティ（Ｄｕｔｙ）比と基準デューティ（Ｄｕｔｙ）比とから消費電力削減量を求める例を説明する図、である。
【図８】削減情報９１の表示を例示する図、（ｂ）は輝度レベル情報９２の表示を例示する図、である。
【発明を実施するための形態】
【００１２】
（１）テレビジョン（表示装置）の概略：
図１（ａ），（ｂ）、図２及び図３に例示するテレビジョン（表示装置）１は、表示画面１０となる液晶パネル１２８ａに映像（画像）を表示する薄型表示装置とされている。むろん、本発明を適用可能なテレビジョンは、液晶テレビジョンの他、プラズマテレビジョンといった薄型表示装置、受像管表示装置、記録再生装置が一体化されたテレビジョン、等のディスプレイでもよい。前記記録再生装置には、ハードディスク記録再生装置、ＢＤ（Blue-ray Disc）記録再生装置、ＤＶＤ（Digital Versatile Disk）記録再生装置、ビデオデッキ、等が含まれる。また、表示装置には、テレビジョン放送を受信しないディスプレイも含まれる。
【００１３】
上記テレビジョン（ＴＶ）１に例示される表示装置は、表示部２の輝度レベルを調整するための輝度調整手段４を備えるとともに、削減情報表示手段５を備える。
削減情報表示手段５は、輝度調整手段４により調整された表示部２の輝度レベルの基準輝度レベルに対する低下量に対応した消費電力の削減度合を表す削減情報９１（図８（ａ）参照）を表示部２に表示する。
【００１４】
すなわち、削減情報９１により表示部２の輝度レベルの基準輝度レベルに対する低下量に対応した消費電力の削減度合が通知されるので、本表示装置は、省エネ（省エネルギー）の程度を分かり易く知らせることができる。ユーザーは、どの程度省エネとなるのか容易に把握することができる。
【００１５】
ここで、消費電力の削減度合には、ワット（Ｗ）等で表される消費電力、ワット時（Ｗｈ）等で表される消費電力量、等が含まれる。
【００１６】
ところで、前記輝度レベルを表す輝度レベル情報９２（図８（ｂ）参照）を前記表示部２に表示するための輝度レベル表示手段６と、前記削減情報９１と前記輝度レベル情報９２を含む情報の中から前記表示部２に表示する情報を選択するための情報選択手段７とが設けられてもよい。すると、表示部２に表示する情報を削減情報９１以外に輝度レベル情報９２等とすることができるので、利便性が向上する。
【００１７】
前記削減情報表示手段５は、前記表示部２による表示のための電流値（電流量）を取得する電流量取得手段５ａを備えていてもよい。該削減情報表示手段５は、取得した電流値と基準電流値（基準電流量）との差に基づいて前記削減情報９１を生成して前記表示部２に表示してもよい。本態様は、簡易な構成で省エネの程度を分かり易く知らせることができる。
【００１８】
前記表示部２は、表示画面１０に光を供給するバックライト１２８ｂを備えていてもよい。前記輝度調整手段４は、前記バックライト１２８ｂの明るさを変えることにより前記表示画面１０の輝度レベルを調整する手段とされてもよい。前記電流量取得手段５ａは、前記バックライト１２８ｂを点灯させるための電流量を取得してもよい。本態様は、バックライト１２８ｂを用いた表示装置（１）の省エネの程度を簡易な構成で分かり易く知らせることができる。
【００１９】
本技術は、省エネを目的としたバックライト自動調節機能付きＴＶを提案する側面を有する。ユーザーの好みを自動調節モードに入れるようにすることで、ニーズに応じた省エネが実現できる。省エネ効果により、ユーザーにとっても環境にとっても有意義な製品となる。図１（ａ）の設定画面８０に例示するように、複数の条件をＯＳＤ（On-Screen Display）上に提示し、デフォルト設定に加え、マニュアル設定を追加することで、ユーザーのニーズに合わせた省エネが可能となる。
また、本技術は、不要時のバックライト輝度をユーザーのニーズに合わせて適切に低下させ、バックライトの輝度低下に応じた省エネ度合をユーザーに分かる形で表示する側面を有する。
【００２０】
（２）テレビジョン（表示装置）の構成：
ＴＶ１は、キャビネット８、マイコン（マイクロコンピュータ）１１０、不揮発性メモリ１１８、本体側送受信装置１１９、表示手段１２１〜１２８、音声出力部１３０、リモコン（リモートコントロール装置）９、等を備えている。テレビジョン本体を形作るキャビネット８は、樹脂等で略箱形に形成され、表示画面１０のための開口を前面に有している。マイコン１１０は、映像表示及び音声出力を制御する。不揮発性メモリ１１８は、例えば不揮発性半導体メモリで構成され、各種データを保持する。不揮発性メモリ１１８は、ハードディスクといった磁気ディスク等でもよい。本体側送受信装置１１９は、リモコン９との間で赤外線信号（無線信号）を送受信可能である。リモコン９以外のＴＶ１の電気回路は、キャビネット８に収容されている。
まず、表示手段の各部を説明する。
【００２１】
チューナ回路１２１は、例えば、マイコン１１０の制御により、ＰＬＬ（Phase Lock Loop）シンセサイザ方式の選局方式で選局し、アンテナ１２２から受信したテレビジョン放送信号を高周波増幅し、増幅後の信号をヘテロダイン検波によって中間周波信号に変換する。テレビジョン放送には、地上デジタル放送、ＢＳ（Broadcasting Satellite）放送、ＣＳ（Communication Satellite）放送、地上アナログ放送、等が含まれる。中間周波増幅回路１２３は、チューナ回路１２１から前記中間周波信号を入力し、該中間周波信号を増幅して映像検波回路１２４へ出力する。映像検波回路１２４は、中間周波増幅回路１２３から入力される中間周波信号から復号映像信号及び音声信号を取り出す。復号映像信号には、輝度信号や搬送色信号や同期信号が含まれる。ＡＧＣ（Automatic Gain Control）回路１２５は、映像検波回路１２４から同期信号を入力し、該同期信号の大きさ強さに応じたＲＦ−ＡＧＣ（Radio Frequency Automatic Gain Control）電圧及びＩＦ−ＡＧＣ（Intermediate Frequency Automatic Gain Control）電圧を生成する。映像信号処理部１２６は、複合映像信号をさらに増幅し、Ｙ／Ｃ分離回路１２６ａでＹ／Ｃ分離を行い、輝度信号（Ｙ）をマトリクス回路１２６ｃに対して出力し、搬送色信号（Ｃ）を色復調回路１２６ｂに対して出力し、同期分離によって得られる同期信号をマイコン１１０に対して出力する。色復調回路１２６ｂは、Ｙ／Ｃ分離回路１２６ａから入力される搬送色信号（Ｃ）をＲ−Ｙの色差信号及びＢ−Ｙの色差信号に復調し、マトリクス回路１２６ｃに対して出力する。マトリクス回路１２６ｃは、入力される輝度信号（Ｙ）、Ｒ−Ｙ色差信号及びＢ−Ｙ色差信号に基づいてマトリクス変換処理を行い、ＲＧＢ（Red-Green-Blue）信号を生成する。液晶ドライバ１２７は、映像信号処理部１２６からのＲＧＢ信号を入力し、液晶モジュール１２８を駆動するための駆動信号をＲＧＢ信号に従って生成し、この駆動信号を液晶モジュール１２８へ出力する。
【００２２】
表示部２を構成する液晶モジュール１２８は、表示画面１０となる液晶パネル１２８ａ、液晶パネル１２８ａを背面から照射するバックライト１２８ｂ、入力される電源電圧から高電圧を生成してバックライト１２８ｂに供給するバックライト駆動部１２８ｃ、を備えている。液晶モジュール１２８は、液晶ドライバ１２７からの駆動信号を入力し、この駆動信号に従ってバックライト１２８ｂを点灯させながら液晶パネル１２８ａに映像を表示させる。
【００２３】
バックライト駆動部１２８ｃは、マイコン１１０からの制御信号に応じたデューティ（Ｄｕｔｙ）比のＰＷＭ（Pulse Width Modulation）信号を生成するＰＷＭ調光回路１２８ｄを備えている。バックライト駆動部１２８ｃは、図７（ａ）に例示されるＰＷＭ信号のデューティ比Ｔ1／Ｔallに応じてバックライト１２８ｂの明るさを制御する。具体的には、ＰＷＭ信号のデューティ比Ｔ1／Ｔallが大きくなるほどバックライト１２８ｂを点灯させるため表示部２に流れる電流値（Ｉ１とする）が大きくなってバックライト１２８ｂの発光を明るくさせ、ＰＷＭ信号のデューティ比Ｔ1／Ｔallが小さくなるほどバックライト１２８ｂを点灯させるための電流値Ｉ１が小さくなってバックライト１２８ｂの発光を暗くさせる。その結果、表示画面１０（表示部２）の輝度レベルが調整される。
以上より、マイコン１１０、バックライト１２８ｂ及びバックライト駆動部１２８ｃは、輝度調整手段４を構成する。
【００２４】
また、音声出力部１３０は、映像検波回路１２４から入力される音声信号を増幅し、音声信号に対応した音声をスピーカから出力する。
【００２５】
マイコン１１０は、内部のバスに接続されたＣＰＵ（Central Processing Unit）１１１、半導体メモリ１１２，１１３、時計回路１１４、ＯＳＤ（On-Screen Display）回路１１５、Ｉ／Ｏ（入出力）回路、等を備えている。ＣＰＵ１１１は、ＲＡＭ（Random Access Memory）１１３をワークエリアとして利用しながらＲＯＭ（Read Only Memory）１１２に書き込まれたテレビジョン用の制御プログラムを実行し、ＴＶ１全体の動作を制御する。ＲＯＭ１１２には、輝度調整手段４や削減情報表示手段５や輝度レベル表示手段６や情報選択手段７を含むＴＶ１としてコンピュータを機能させる複数のプログラムが書き込まれている。時計回路１１４は、現在時刻を計時し、一定時間毎に割込信号を生成してＣＰＵ１１１へ出力可能である。ＯＳＤ回路１１５は、ＯＳＤ画面の被重畳信号を生成して映像信号処理部１２６へ出力する。
以上より、マイコン１１０は、輝度調整手段４を構成するとともに、削減情報表示手段５や輝度レベル表示手段６や情報選択手段７を構成する。
【００２６】
（３）テレビジョン（表示装置）の動作、作用、及び、効果：
次に、ＴＶ１の動作、作用、及び、効果を説明する。
図４は、ＴＶ１で行われるバックライト輝度設定処理をフローチャートにより例示している。本処理は、例えば、所定のメニュー画面が表示されているときに所定の「バックライト輝度設定」項目が選択操作されたときに開始し、マルチタスクにより他の処理と並列して行われる。
【００２７】
処理を開始すると、マイコン１１０は、図１（ａ）に例示する設定画面８０を表示画面１０（表示部２）に表示する（ステップＳ１０２。以下、「ステップ」の記載を省略）。設定画面８０には、バックライト輝度調整を有効（ｏｎ）にするか無効（ｏｆｆ）にするかを切り替えるためのバックライト輝度調整オンオフ項目８１、バックライト輝度調整をデフォルトの設定（ａｕｔｏ）で行うか消費電力の削減度合である削減量（Ｗ）で行うか輝度レベル（％）で行うかを切り替えるための選択項目８２、ＯＳＤ操作時に基準輝度レベルからどの程度消費電力を削減するかを入力するためのＯＳＤ操作時入力欄８３、映像信号処理部１２６に表示信号が入力されていないときにどの程度消費電力を削減するかを入力するための無入力時入力欄８４、コマーシャルを映像表示しているときにどの程度消費電力を削減するかを入力するためのコマーシャル時入力欄８５、表示信号の入力切替時にどの程度消費電力を削減するかを入力するための入力切替時入力欄８６、ＥＰＧ（電子番組ガイド）を表示するときにどの程度消費電力を削減するかを入力するためのＥＰＧ時入力欄８７、が設けられている。各入力欄８３〜８７は、バックライト輝度調整オンオフ項目８１が”ｏｎ”にされているときに操作入力可能となり、選択項目８２で”Ｗ”が選択操作されているときに消費電力削減量の数値（例えばワット単位）で操作入力可能であり、選択項目８２で”％”が選択操作されているときに輝度レベルの数値（例えば基準輝度レベルに対する百分率）で操作入力可能である。
【００２８】
マイコン１１０は、ユーザーからの操作入力をリモコン９等から受け付け、所定の確定キーの操作入力を受け付けると、バックライト輝度調整を有効（ｏｎ）にするか無効（ｏｆｆ）にするかを表す情報、バックライト輝度調整の選択項目８２の種類を表す情報、各入力欄８３〜８７に操作入力された数値を表す情報、を設定値として例えば不揮発性メモリ１１８に記憶する（Ｓ１０４）。
【００２９】
その後、マイコン１１０は、記憶された設定値に従って、バックライト輝度調整処理を開始し（Ｓ１０６）、バックライト輝度設定処理を終了させる。
【００３０】
Ｓ１０６の処理及びその後の処理において、バックライト輝度調整が無効（ｏｆｆ）である場合、マイコン１１０は、基準のデューティ比となるようにＰＷＭ調光回路１２８ｄに指示を出し、どの場面でも基準輝度レベル（Ｌ０とする）の明るさでバックライト１２８ｂを点灯させる。バックライト輝度調整が有効（ｏｎ）である場合、基準輝度レベルよりも低下した輝度レベル（Ｌ１とする）の明るさでバックライト１２８ｂを点灯させる。例えば、ＰＷＭ信号の基準デューティ比をＲＴ０、輝度レベルＬ１に合わせて低下させたデューティ比をＲＴ１とすると、
ＲＴ１＝（Ｌ１／Ｌ０）×ＲＴ０  …（１）
で求められるデューティ比ＲＴ１となるようにＰＷＭ調光回路１２８ｄに指示を出せばよい。むろん、式（１）よりも好ましい対応関係があればその対応関係に従ったデューティ比となるようにＰＷＭ調光回路１２８ｄに指示を出してもよい。
【００３１】
まず、バックライト輝度調整の選択項目８２で輝度レベル（％）が選択された場合について説明する。この場合、ＯＳＤを表示するときには、ＯＳＤ操作時入力欄８３に入力された輝度レベルＬ１に合わせたデューティ比ＲＴ１となるようにＰＷＭ調光回路１２８ｄに指示を出す。
【００３２】
また、映像信号処理部１２６に表示信号が所定レベル以下しか入力されていないとき、無入力時入力欄８４に入力された輝度レベルＬ１に合わせたデューティ比ＲＴ１となるようにＰＷＭ調光回路１２８ｄに指示を出す。コマーシャルを映像表示しているとき、コマーシャル時入力欄８５に入力された輝度レベルＬ１に合わせたデューティ比ＲＴ１となるようにＰＷＭ調光回路１２８ｄに指示を出す。コマーシャルであるか否かは、ＴＳ（Transport Stream；トランスポートストリーム）中のＰＳＩ（Program Specific Information）／ＳＩ（Service Information）の中のＰＩＤ（パケット識別子）がコマーシャル用のＰＩＤであるか否かにより判断することができる。表示信号の入力切替時、入力切替時入力欄８６に入力された輝度レベルＬ１に合わせたデューティ比ＲＴ１となるようにＰＷＭ調光回路１２８ｄに指示を出す。ＥＰＧを表示するとき、ＥＰＧ時入力欄８７に入力された輝度レベルＬ１に合わせたデューティ比ＲＴ１となるようにＰＷＭ調光回路１２８ｄに指示を出す。なお、リモコン９に対する操作が所定時間（例えば２時間）以上行われていない場合、基準輝度レベルＬ０よりも低下した輝度レベルＬ１に合わせたデューティ比ＲＴ１となるようにＰＷＭ調光回路１２８ｄに指示を出す。また、ＯＳＤや無入力やコマーシャルや入力切替後所定時間内やＥＰＧやリモコン無操作時以外の映像表示（以下、「通常映像表示」と記載）を行うとき、基準輝度レベルＬ０に合わせたデューティ比ＲＴ１となるようにＰＷＭ調光回路１２８ｄに指示を出す。
【００３３】
次に、バックライト輝度調整の選択項目８２で消費電力削減量（Ｗ）が選択された場合について説明する。この場合、ＯＳＤを表示するときには、ＯＳＤ操作時入力欄８３に入力された消費電力削減量に対応する輝度レベルＬ１に合わせたデューティ比ＲＴ１となるようにＰＷＭ調光回路１２８ｄに指示を出す。図５に例示するように、基準輝度レベルＬ０と輝度レベルＬ１の差Ｌ０−Ｌ１と消費電力削減量（ΔＷとする）とには、差Ｌ０−Ｌ１が大きくなるほどΔＷが大きくなる対応関係がある。このような対応関係をＴＶ１の機種毎に求めておけばよい。従って、この対応関係に従った輝度レベルＬ１に合わせたデューティ比ＲＴ１となるようにＰＷＭ調光回路１２８ｄに指示を出せばよい。
【００３４】
また、映像信号処理部１２６に表示信号が入力されていないとき、無入力時入力欄８４に入力された消費電力削減量に対応する輝度レベルＬ１に合わせたデューティ比ＲＴ１となるようにＰＷＭ調光回路１２８ｄに指示を出す。コマーシャルを映像表示しているとき、コマーシャル時入力欄８５に入力された消費電力削減量に対応する輝度レベルＬ１に合わせたデューティ比ＲＴ１となるようにＰＷＭ調光回路１２８ｄに指示を出す。表示信号の入力切替時、入力切替時入力欄８６に入力された消費電力削減量に対応する輝度レベルＬ１に合わせたデューティ比ＲＴ１となるようにＰＷＭ調光回路１２８ｄに指示を出す。ＥＰＧを表示するとき、ＥＰＧ時入力欄８７に入力された消費電力削減量に対応する輝度レベルＬ１に合わせたデューティ比ＲＴ１となるようにＰＷＭ調光回路１２８ｄに指示を出す。なお、リモコン９に対する操作が上記所定時間以上行われていない場合、輝度レベルＬ１に合わせたデューティ比ＲＴ１となるようにＰＷＭ調光回路１２８ｄに指示を出す。また、上記通常映像表示を行うとき、基準輝度レベルＬ０に合わせたデューティ比ＲＴ１となるようにＰＷＭ調光回路１２８ｄに指示を出す。
【００３５】
図６は、ＴＶ１で行われる削減情報表示処理をフローチャートにより例示している。本処理は、例えば、ＴＶが電源オンであるときに所定間隔で繰り返し行われ、マルチタスクにより他の処理と並列して行われる。ここで、Ｓ２０４の処理を行うマイコン１１０は情報選択手段７を構成し、Ｓ２０６の処理を行うマイコン１１０は削減情報表示手段５を構成し、Ｓ２０８の処理を行うマイコン１１０は輝度レベル表示手段６を構成する。
【００３６】
処理を開始すると、マイコン１１０は、図８（ａ），（ｂ）に例示する情報（９１，９２）を表示するタイミングであるか否かを判断する（Ｓ２０２）。この表示タイミングには、例えば、ＯＳＤの表示を開始するタイミング、映像信号処理部１２６に入力される表示信号が所定レベル以下になったタイミング、コマーシャルの映像表示を開始するタイミング、表示信号の入力切替時のタイミング、ＥＰＧの表示を開始するタイミング、リモコン９に対する無操作が所定時間以上となったタイミング、上記通常映像表示に戻るタイミング、がある。
【００３７】
Ｓ２０４では、バックライト輝度調整の選択項目８２での選択内容に応じて処理を分岐させる。すなわち、Ｓ２０４の処理は、削減情報９１と輝度レベル情報９２の中から表示部２に表示する情報を選択するための処理である。
【００３８】
選択項目８２で消費電力削減量（Ｗ）が選択された場合、マイコン１１０は、表示部２の輝度レベルの基準輝度レベルＬ０に対する低下量に対応した消費電力削減量ΔＷ（削減度合）を表す削減情報９１を生成し、図８（ａ）に例示するように、表示画面１０に削減情報９１を映像Ｖ１に重ねて表示画面１０に表示して（Ｓ２０６）、削減情報表示処理を終了させる。削減情報９１は、例えば、通常映像表示の場合に「０Ｗ削減中」、リモコン無操作時に基準輝度レベルＬ０と輝度レベルＬ１との差Ｌ０−Ｌ１に対応した消費電力削減量ΔＷを削減中であることを表す情報、これら以外の場合に入力欄８３〜８７に入力された消費電力削減量ΔＷを削減中であることを表す情報、とすることができる。
【００３９】
また、電流量取得手段５ａでバックライト１２８ｂを点灯させるための電流値Ｉ１を取得し、取得した電流値Ｉ１と基準電流値（Ｉ０とする）との差Ｉ０−Ｉ１に基づいて削減情報９１を生成して表示部２に表示してもよい。電流値Ｉ１は、図７（ａ）に例示するＰＷＭ信号のデューティ比Ｔ1／Ｔallが大きくなるほど大きくなる。そこで、ＴＶの機種に応じてデューティ比Ｔ1／Ｔallと電流値Ｉ１との対応関係を求めておけば、電流量取得手段５ａは、この対応関係からＰＷＭ調光回路１２８ｄからＰＷＭ信号のデューティ比Ｔ1／Ｔallを取得し、前記対応関係に従ってデューティ比Ｔ1／Ｔallから電流値Ｉ１を求めることができる。図７（ｂ）に例示するように、基準電流値Ｌ０と電流値Ｌ１との差Ｉ０−Ｉ１が大きくなるほど消費電力削減量ΔＷが大きくなる。そこで、ＴＶの機種に応じて電流値の差Ｉ０−Ｉ１と消費電力削減量ΔＷとの対応関係を求めておけば、この対応関係から電流値の差Ｉ０−Ｉ１から消費電力削減量ΔＷを求め、削減情報９１を生成することができる。従って、削減情報９１は、求めた消費電力削減量ΔＷを削減中であることを表す情報とすることができる。
【００４０】
さらに、ＰＷＭ信号のデューティ比Ｔ1／Ｔallが大きくなるほど電流値Ｉ１が大きくなる対応関係があるので、図７（ｃ）に例示するように、基準デューティ比ＲＴ０とデューティ比ＲＴ１との差ＲＴ０−ＲＴ１が大きくなるほど消費電力削減量ΔＷが大きくなる。そこで、ＴＶの機種に応じてデューティ比の差ＲＴ０−ＲＴ１と消費電力削減量ΔＷとの対応関係を求めておけば、この対応関係からデューティ比の差ＲＴ０−ＲＴ１から消費電力削減量ΔＷを求め、削減情報９１を生成することができる。
【００４１】
一方、選択項目８２で輝度レベル（％）が選択された場合、マイコン１１０は、表示部２の輝度レベルＬ１を表す輝度レベル情報９２を生成し、図８（ｂ）に例示するように、表示画面１０に輝度レベル情報９２を映像Ｖ１に重ねて表示画面１０に表示して（Ｓ２０８）、削減情報表示処理を終了させる。輝度レベル情報９２は、例えば、通常映像表示の場合に「輝度１００％」、リモコン無操作時に基準輝度レベルＬ０よりも低下した輝度レベルＬ１を表す情報、これら以外の場合に入力欄８３〜８７に入力された輝度レベルＬ１を表す情報、とすることができる。
【００４２】
また、電流量取得手段５ａでバックライト１２８ｂを点灯させるための電流値Ｉ１を取得し、取得した電流値Ｉ１と基準電流値（Ｉ０とする）との差Ｉ０−Ｉ１に対応した輝度レベルＬ１を求め、この輝度レベルＬ１を表す輝度レベル情報９２を生成して表示部２に表示してもよい。ＴＶの機種に応じて電流値の差Ｉ０−Ｉ１と輝度レベル低減量Ｌ０−Ｌ１との対応関係を求めておけば、この対応関係から電流値の差Ｉ０−Ｉ１から輝度レベル低減量Ｌ０−Ｌ１を求め、この輝度レベル低減量と基準輝度レベルＬ０とから輝度レベルＬ１を求め、輝度レベルＬ１を表す輝度レベル情報９２を生成することができる。さらに、ＴＶの機種に応じてデューティ比の差ＲＴ０−ＲＴ１と輝度レベル低減量Ｌ０−Ｌ１との対応関係を求めておけば、この対応関係からデューティ比の差ＲＴ０−ＲＴ１から輝度レベル低減量Ｌ０−Ｌ１を求め、輝度レベルＬ１を表す輝度レベル情報９２を生成することができる。
【００４３】
以上説明したように、本表示装置は、削減情報９１により表示部２の輝度レベルの基準輝度レベルに対する低下量に対応した消費電力の削減度合が通知されるので、省エネの程度を分かり易く知らせることができる。ユーザーは、どの程度省エネとなるのか容易に把握することができる。また、表示部２に表示する情報を削減情報９１以外に輝度レベル情報９２等とすることができるので、本表示装置は便利である。
【００４４】
（４）変形例：
上述した処理の各ステップの順番は、適宜、変更可能である。例えば、図４のＳ１０４の設定値記憶処理の前にＳ１０６のバックライト輝度調整処理を開始してもよい。また、図６のＳ２０４，Ｓ２０８の処理が行われず、削減情報９１のみが表示されてもよい。このような表示装置も、本発明に含まれる。
図６のＳ２０２の表示タイミングで表示する情報には、輝度レベル低減量等、削減情報９１と輝度レベル情報９２以外の情報が含まれていてもよい。また、削減情報９１は、消費電力量等の情報でもよい。
図１（ａ）に示す各入力欄８３〜８７は、選択項目８２の選択内容に連動していなくてもよい。例えば、選択項目８２で消費電力削減量（Ｗ）が選択されているときに各入力欄８３〜８７に輝度レベルＬ１が操作入力されてもよい。
【００４５】
以上説明したように、本発明によると、種々の態様により、省エネ（省エネルギー）の程度を分かり易く知らせることが可能な表示装置、表示方法、テレビジョン、テレビジョンの制御方法、表示プログラム、テレビジョンの制御プログラム、これらのプログラムを記録したコンピュータ読み取り可能な非伝送媒体、等を提供することができる。
【００４６】
なお、従属請求項に係る構成要件を有しておらず独立請求項に係る構成要件のみからなる装置、システム、方法及びプログラムでも、上述した基本的な作用、効果が得られる。
【００４７】
また、本発明は上記実施例に限られるものでないことは言うまでもない。当業者であれば言うまでもないことであるが、
・上記実施例の中で開示した相互に置換可能な部材及び構成等を適宜その組み合わせを変更して適用すること
・上記実施例の中で開示されていないが、公知技術であって上記実施例の中で開示した部材及び構成等と相互に置換可能な部材及び構成等を適宜置換し、またその組み合わせを変更して適用すること
・上記実施例の中で開示されていないが、公知技術等に基づいて当業者が上記実施例の中で開示した部材及び構成等の代用として想定し得る部材及び構成等と適宜置換し、またその組み合わせを変更して適用すること
は本発明の一実施例として開示されるものである。
【符号の説明】
【００４８】
１…テレビジョン（表示装置）、
２…表示部、４…輝度調整手段、
５…削減情報表示手段、５ａ…電流量取得手段、
６…輝度レベル表示手段、７…情報選択手段、
８…キャビネット、９…リモコン（リモートコントロール装置）、
１０…表示画面、
８０…設定画面、８１…バックライト輝度調整オンオフ項目、
９１…削減情報、９２…輝度レベル情報、
１２８ｂ…バックライト。
【図１】
2012242462.tif 000003
【図２】
2012242462.tif 000004
【図３】
2012242462.tif 000005
【図４】
2012242462.tif 000006
【図５】
2012242462.tif 000007
【図６】
2012242462.tif 000008
【図７】
2012242462.tif 000009
【図８】
2012242462.tif 000010